(57)【要約】【課題】録画状態において、画質劣化を防止する。【解決手段】本発明の受信装置７は、受信品質判定部１３の判定の結果、入力信号の品質が所定レベル以上の場合、シングル受信状態となり、入力信号の品質が所定レベル未満の場合、ダイバシティ受信状態となる受信装置であって、録画状態において、入力信号の品質が所定レベル以上である場合においてもダイバシティ受信状態となる構成である。  上記構成により、録画状態において、たとえ、入力信号の品質が所定レベル以上であっても、受信装置がシングル受信状態となることを防止し、これにより、シングル受信状態からダイバシティ受信状態に切り替わる際の受信装置７の画質劣化を防止することができる。【選択図】図１
2008172671.tif 000002
【特許請求の範囲】
【請求項１】
第１受信部と第２受信部と、前記第１受信部の出力側及び前記第２受信部の出力側に接続されると共に入力信号の品質を判定する受信品質判定部とを備え、
この受信品質判定部の判定結果に基づいて、前記第１受信部と前記第２受信部のうちいずれか一方を用いて信号を受信するシングル受信状態と、前記第１受信部と前記第２受信部の両方を用いて信号を受信するダイバシティ受信状態とを切り替え可能な受信装置であって、所定の条件において、前記受信品質判定部の判定結果に関わらず、前記ダイバシティ受信状態となる受信装置。
【請求項２】
第１受信感度で信号を受信する第１受信状態と前記第１受信感度より高い第２受信感度で信号を受信する第２受信状態とを有する受信部と、前記受信部の出力側に接続されると共に入力信号の品質を判定する受信品質判定部とを備え、この受信品質判定部の判定結果に基づいて、前記受信部を前記第１受信状態と前記第２受信状態とを切り替え可能な受信装置であって、所定の条件において、前記受信品質判定部の判定結果に関わらず、前記第２受信状態となる受信装置。
【請求項３】
前記所定の条件は、前記受信装置を搭載した電子機器が前記受信装置によって受信された信号を記録する録画状態である請求項１又は請求項２に記載の受信装置。
【請求項４】
前記所定の条件は、前記受信装置を搭載した電子機器の外部からこの電子機器に電力が供給されている状態である請求項１又は請求項２に記載の受信装置。
【請求項５】
前記所定の条件は、前記受信装置によって受信された信号に含まれる情報がユーザの頻繁に視聴する番組の情報である場合である請求項１又は請求項２に記載の受信装置。
【請求項６】
前記所定の条件は、前記受信装置を前記ダイバシティ受信状態にする旨の入力操作をユーザから受けた場合である請求項１に記載の受信装置。
【請求項７】
前記所定の条件は、前記受信装置を前記第２受信状態にする旨の入力操作をユーザから受けた場合である請求項２に記載の受信装置。
【請求項８】
請求項１から請求項７のいずれか１つに記載の受信装置と、
この受信装置の出力側に表示部とを備えた電子機器。
【発明の詳細な説明】
【技術分野】
【０００１】
本発明は、信号を受信する受信装置と、これを用いた電子機器に関するものである。
【背景技術】
【０００２】
以下、従来の受信装置について図４を用いて説明する。図４において、従来の受信装置１は、第１受信部２と第２受信部３と、第１受信部２の出力側及び第２受信部３の出力側に接続された復調部４とを有する。また、この従来の受信装置を搭載した電子機器（図示せず）は、復調部４の出力側に順に接続された、入力信号の復号処理を行う信号処理部（図示せず）と、液晶等からなる表示部（図示せず）とを有する。
【０００３】
さらに、従来の受信装置１は、復調部４からのＢＥＲ（Ｂｉｔ Ｅｒｒｏｒ Ｒａｔｅ）に基づいて受信品質を判定する受信品質判定部５と、この受信品質判定部５の判定結果に基づいて、第１受信部２と第２受信部３のうちいずれか一方を用いて信号を受信するシングル受信状態と、第１受信部２と第２受信部３の両方を用いて信号を受信するダイバシティ受信状態とを切り替え制御する制御部６とを有する。この制御部６は、受信装置１がダイバシティ受信状態である場合、入力信号の品質が所定レベルＡ以上になったとき、受信装置１をシングル受信状態に制御し、受信装置１がシングル受信状態である場合、入力信号の品質が所定レベルＢ未満になったとき、受信装置１をダイバシティ受信状態になるよう切り替え制御する。一般的に、上記所定レベルＡは所定レベルＢより良好なレベルに設定されている。
【０００４】
尚、この出願の発明に関連する先行技術文献情報としては、例えば、特許文献１が知られている。
【特許文献１】特開平５−３００１２９号公報
【発明の開示】
【発明が解決しようとする課題】
【０００５】
例えば、上記従来の受信装置１を搭載した電子機器が、ＨＤＤ（Ｈａｒｄ Ｄｉｓｋ Ｄｒｉｖｅ）等の記憶部（図示せず）を用いて受信信号を記録する録画状態である場合、より高い受信品質が求められる。これは、録画してまで鑑賞しようとする番組は、一般的にユーザにとって重要である場合が多いからである。しかし、受信装置１がシングル受信状態である場合、受信品質が所定レベルＢ未満に劣化してから、受信装置１がダイバシティ受信状態に切り替わり受信品質が回復するまでタイムラグが生じる。その間、記憶部に画質の悪い映像が記録されるという問題があった。
【０００６】
そこで本発明は、例えば、録画状態等の所定の条件において、画質劣化を防止することを目的とする。
【課題を解決するための手段】
【０００７】
上記目的を達成する為に、本発明の受信装置は、受信品質判定部の判定結果に基づいて、シングル受信状態とダイバシティ受信状態とを切り替え可能な受信装置であって、所定の条件において、前記受信品質判定部の判定結果に関わらず、ダイバシティ受信状態となる構成である。
【発明の効果】
【０００８】
上記構成により、録画状態等の所定の条件において、たとえ、入力信号の品質が所定レベルＡ以上であっても、受信装置がシングル受信状態となることを防止することができる。その結果、録画状態等の所定の条件において、シングル受信状態からダイバシティ受信状態に切り替わる際の受信装置の画質劣化を防止すると共に受信品質を高く維持させることができる。
【発明を実施するための最良の形態】
【０００９】
（実施の形態１）
以下、本発明の実施の形態１について図１を用いて説明する。図１は、実施の形態１の受信装置のブロック図である。図１において、受信装置７は、アンテナ８、９にそれぞれ接続された第１受信部１０と第２受信部１１と、第１受信部１０の出力側及び第２受信部１１の出力側に接続された復調部１２とを有する。また、この従来の受信装置７を搭載した電子機器（図示せず）は、復調部１２の出力側に順に接続された、入力信号の復号処理を行う信号処理部（図示せず）と、液晶等からなる表示部（図示せず）とを有する。
【００１０】
さらに、受信装置７は、復調部１２からのＢＥＲ（Ｂｉｔ Ｅｒｒｏｒ Ｒａｔｅ）に基づいて受信品質を判定する受信品質判定部１３と、この受信品質判定部１３の判定結果に基づいて、第１受信部１０と第２受信部１１のうちいずれか一方を用いて信号を受信するシングル受信状態と、第１受信部１０と第２受信部１１の両方を用いて信号を受信するダイバシティ受信状態とを切り替え制御する制御部１４とを有する。この制御部１４は、受信装置７がダイバシティ受信状態である場合、入力信号の品質が所定レベルＡ以上になったとき、受信装置７をシングル受信状態に制御し、受信装置７がシングル受信状態である場合、入力信号の品質が所定レベルＢ未満になったとき、受信装置７をダイバシティ受信状態になるよう切り替え制御する。一般的に、上記所定レベルＡは所定レベルＢより良好なレベルに設定されている。
【００１１】
さらにまた、受信装置７は、受信装置７を搭載した電子機器が、ＨＤＤ（Ｈａｒｄ Ｄｉｓｋ Ｄｒｉｖｅ）等の記憶部１５を用いて受信信号を記録する録画状態でありかつ受信装置７がダイバシティ受信状態である場合、受信品質判定部１３の判定の結果、入力信号の品質が所定レベルＡ以上になったときにおいても、ダイバシティ受信状態を維持する構成である。
【００１２】
上記構成により、録画状態において、たとえ、入力信号の品質が所定レベルＡ以上になっても、受信装置７がシングル受信状態となることを防止することができる。その結果、より高い受信品質が求められる録画状態において、シングル受信状態からダイバシティ受信状態に切り替わる際の画質劣化を防止することができると共に受信品質を高く維持させることができる。
【００１３】
尚、受信品質判定部１３は、第１受信部１０及び第２受信部１１の出力側に接続されていれば、どこに接続されても構わなく、また、例えば、入力信号の品質をＣ／Ｎ（Ｃａｒｒｉｅｒ／Ｎｏｉｓｅ）比で判定しても構わない。
【００１４】
（実施の形態２）
以下、本発明の実施の形態２について図２を用いて説明する。図２は、実施の形態２の受信装置のブロック図である。実施の形態１と同様の構成については、その説明を省略し、相違点について詳述する。
【００１５】
図２において、制御部１４は、受信装置７を搭載した電子機器の外部からこの電子機器に電力が供給されている状態でありかつ受信装置７がダイバシティ受信状態である場合に、入力信号の品質が所定レベルＡ以上になったときにおいても受信装置７をダイバシティ受信状態で維持する様に制御する。電子機器の外部から電子機器に電力が供給されている状態とは、例えば、自動車のシガーライトである電源部１６に電子機器の電源が繋がれている場合等である。
【００１６】
電子機器の外部から電子機器に電力が供給されている状態では、電子機器に十分な電力が供給される為、受信装置７は電力消費の大きいダイバシティ受信状態であっても良い。上記構成により、電子機器の外部からこの電子機器に電力が供給されている状態では、たとえ、入力信号の品質が所定レベルＡ以上になっても、受信装置７がシングル受信状態となることを防止し、これにより、シングル受信状態からダイバシティ受信状態に切り替わる際の画質劣化を防止することができると共に受信品質を高く維持させることができる。
【００１７】
（実施の形態３）
以下、本発明の実施の形態３について図１を用いて説明する。実施の形態１と同様の構成については、その説明を省略し、相違点について詳述する。
【００１８】
図１において、制御部１４は、受信装置７によって受信された信号に含まれる情報がユーザの頻繁に視聴する番組の情報でありかつ受信装置７がダイバシティ受信状態である場合に、入力信号の品質が所定レベルＡ以上になったときにおいても受信装置７をダイバシティ受信状態で維持する様に制御する。尚、ユーザの頻繁に視聴する番組の情報は、例えば、制御部１４に接続された記憶部１５で記録されている。
【００１９】
ユーザの頻繁に視聴する番組は、一般的にユーザにとって重要である場合が多い。上記構成により、受信装置７によって受信された信号に含まれる情報がユーザの頻繁に視聴する番組の情報である場合では、たとえ、入力信号の品質が所定レベルＡ以上になっても、受信装置７がシングル受信状態となることを防止し、これにより、シングル受信状態からダイバシティ受信状態に切り替わる際の画質劣化を防止することができると共に受信品質を高く維持させることができる。
【００２０】
また、制御部１４は、受信装置７を常にダイバシティ受信状態にする旨の入力操作をユーザから受けた場合に、入力信号の品質が所定レベルＡ以上になったときにおいても受信装置７をダイバシティ受信状態で維持する様に制御しても良い。これにより、ユーザが高品質な画像状態を保って番組を視聴したい場合に、たとえ、入力信号の品質が所定レベルＡ以上になっても、受信装置７がシングル受信状態となることを防止し、これにより、シングル受信状態からダイバシティ受信状態に切り替わる際の画質劣化を防止することができる。
【００２１】
（実施の形態４）
以下、本発明の実施の形態４について図３を用いて説明する。図３は、実施の形態４の受信装置のブロック図である。また、特に説明しない限りにおいて、実施の形態４の構成は実施の形態１、２、３と同様である。
【００２２】
図３に示す様に、受信装置７は、第１受信部９と第２受信部１０の代わりに、第１受信感度で信号を受信する第１受信状態と第１受信感度より高い第２受信感度で信号を受信する第２受信状態とを有する受信部１７を備える。例えば、第１受信状態は、受信部１７の内部に接続された増幅器（図示せず）の増幅度を通常時より抑えた省電力状態であり、第２受信状態は、受信部１７の内部に接続された増幅器の増幅度を省電力状態時より大きくした通常状態である。
【００２３】
また、受信装置７は、実施の形態１と同様に、この受信部１７から出力された信号を復調する復調部１２と、この復調部１２からのＢＥＲに基づいて受信品質を判定する受信品質判定部１３とを備える。
【００２４】
そして、制御部１４は、受信部１７が第２受信状態である場合、受信品質判定部１３における判定結果が所定レベルＡ以上になったとき、受信部１７を第１受信状態にし、受信部１７が第１受信状態である場合、第１受信品質判定部１３における判定結果が所定レベルＢ未満になったとき、受信部１７を第２受信状態とする。
【００２５】
さらにまた、受信装置７は、受信装置７を搭載した電子機器が、例えば、録画状態である場合、電子機器に電力が供給されている状態である場合、受信信号に含まれる情報がユーザの頻繁に視聴する番組の情報である場合、又は、ユーザからダイバシティ受信状態にする旨の入力操作を受けた場合、受信品質判定部１３の判定結果に関わらず、第２受信状態を維持する構成である。
【００２６】
上記構成により、所定の条件、例えば、録画状態において、たとえ、入力信号の品質が所定レベルＡ以上になっても、受信装置７が第１受信状態となることを防止することができる。その結果、所定の条件において、第１受信状態から第２受信状態に切り替わる際の画質劣化を防止することができると共に受信品質を高く維持させることができる。
【産業上の利用可能性】
【００２７】
本発明の受信装置は、録画状態等の所定の条件において、画質劣化を防止すると共に受信品質を高く維持させることができるので、ＴＶ機能付携帯端末や、車載用受信装置などの電子機器に特に有用である。
【図面の簡単な説明】
【００２８】
【図１】本発明の実施の形態１、３における受信装置のブロック図
【図２】本発明の実施の形態２における受信装置のブロック図
【図３】本発明の実施の形態４における受信装置のブロック図
【図４】従来の受信装置のブロック図
【符号の説明】
【００２９】
７  受信装置
８、９  アンテナ
１０  第１受信部
１１  第２受信部
１２  復調部
１３  受信品質判定部
１４  制御部
１５  記憶部
１６  電源部
１７  受信部
【図１】
2008172671.tif 000003
【図２】
2008172671.tif 000004
【図３】
2008172671.tif 000005
【図４】
2008172671.tif 000006